(57)【要約】【課題】  看者に与える印象が強く、見栄えの良いデータ記録ディスク関連表示シートを提供する。【解決手段】  表面にレンチキュラーレンズ２が形成されているレンチキュラーシート３の裏面に、複数の画像を組み合わせてなるレンチキュラー画像５を有する。レンチキュラーシート３をレンチキュラーレンズ２の側から見ることにより、レンチキュラー画像５が立体的に見えたり、あるいは、見る角度を変えてレンチキュラーシート３を観察することで、絵柄が変化するように見えたり等、多様な視覚的効果が得られる。【選択図】    図１
0003194476.tif 000002
【実用新案登録請求の範囲】
【請求項１】
表面にレンチキュラーレンズが形成されているレンチキュラーシートの裏面に、複数の
画像を組み合わせてなるレンチキュラー画像を有する、データ記録ディスク関連表示シー
ト。
【請求項２】
データ記録ディスクを収納するための透明なディスクケースの内側に装着されるディス
クケース用ジャケットであって、少なくとも一部に請求項１に記載のデータ記録ディスク
関連表示シートを含んでいる、ディスクケース用ジャケット。
【請求項３】
データ記録ディスクのケースを収納するためのケース収納箱であって、少なくとも一部
に請求項１に記載のデータ記録ディスク関連表示シートを含んでいる、ケース収納箱。
【請求項４】
レーベル面の少なくとも一部に請求項１に記載のデータ記録ディスク関連表示シートを
含んでいる、データ記録ディスク。
【考案の詳細な説明】
【技術分野】
【０００１】
本考案は、ＣＤやＤＶＤ等のデータ記録ディスクに関連して使用する表示シートに関す
る。具体的には、本考案の表示シートは、例えば、前記ディスクのレーベル面として使用
したり、前記ディスクを収納するためのケースのジャケットとして使用したり、ディスク
ケースを収納するためのケース収納箱として使用するものである。
【背景技術】
【０００２】
近年、個人的にオリジナルのＣＤやＤＶＤを作成する人が増えている。例えば、歌が好
きな人の中には、自分で歌った歌をＣＤに複製して関係者に配布する人もいる。また、映
像が好きな人の中には、自分で撮影した映像や個人的なイベントの模様等をＤＶＤに複製
して関係者に配布する人もいる。これらの場合、ＣＤやＤＶＤのレーベル面や、ＣＤやＤ
ＶＤのケース用のジャケットにも趣向を凝らすことが好ましい。人々の興味を引き、目を
楽しませ、もらって嬉しいデザインとなるように、種々工夫を凝らしたジャケットを安価
に作成したいところである。
【０００３】
従来、オリジナルＣＤやＤＶＤを作成した場合の、高品位のディスクケース用ジャケッ
トに関する提案として、特許文献１のものが公知となっている。
【先行技術文献】
【特許文献】
【０００４】
【特許文献１】特開２００４−２９５９９５号公報
【考案の概要】
【考案が解決しようとする課題】
【０００５】
前記文献は、ディスクケース用ジャケットシートの素材として写真用印画紙を用いるこ
とを提案するものであり、ディスクケース用ジャケットの見栄えの向上という点ではイン
パクトが弱いという問題がある。
【０００６】
本考案は前記のような事情に鑑みてなされたもので、看者に与える印象が強く、見栄え
の良い、データ記録ディスク関連表示シートを提供しようとするものである。
【０００７】
本考案はまた、前記データ記録ディスク関連表示シートを利用したディスクケース用ジ
ャケット、ケース収納箱及びデータ記録ディスクを提供しようとするものである。
【課題を解決するための手段】
【０００８】
前記課題を解決するため、本考案に係るデータ記録ディスク関連表示シートは、表面に
レンチキュラーレンズが形成されているレンチキュラーシートの裏面に、複数の画像を組
み合わせてなるレンチキュラー画像を有することを特徴とする（請求項１）。
【０００９】
本考案によれば、レンチキュラーシートをレンチキュラーレンズの側から見ることによ
り、レンチキュラー画像が立体的に見えたり、あるいは、見る角度を変えてレンチキュラ
ーシートを観察することで絵柄が変化するように見えたり、動画的効果が得られたり等、
多様な視覚的効果が得られる。このため、看者に与える印象が強く、見栄えが良い。なお
、視覚的効果の具体的な内容は、組み合わされる複数の画像の内容と組み合わせ方に依存
する。
【００１０】
前記データ記録ディスク関連表示シートの具体的な使用態様として、次のものを例示す
る。
【００１１】
第一に、データ記録ディスクを収納するための透明なディスクケースの内側に装着され
るディスクケース用ジャケットであって、少なくとも一部に前記データ記録ディスク関連
表示シートを含んでいるディスクケース用ジャケットである（請求項２）。この実施の形
態は、前記データ記録ディスク関連表示シートをディスクケースの装飾用として用いるも
のである。この場合、ディスクケース用ジャケットの表面積に占める前記データ記録ディ
スク関連表示シートの割合を大きくすればするほど、ディスクケース用ジャケットの視覚
上の印象が強くなり、見栄えの良い外観となる。
【００１２】
第二に、データ記録ディスクのケースを収納するためのケース収納箱であって、少なく
とも一部に前記データ記録ディスク関連表示シートを含んでいるケース収納箱である（請
求項３）。この場合にも、ケース収納箱の表面積に占める前記データ記録ディスク関連表
示シートの割合を大きくすればするほど、ケース収納箱の視覚上の印象が強くなり、見栄
えの良い外観となる。
【００１３】
第三に、レーベル面の少なくとも一部に前記データ記録ディスク関連表示シートを含ん
でいるデータ記録ディスクである（請求項４）。このようにすれば、データ記録ディスク
自体の視覚上の印象が強くなり、見栄えの良い外観となる。
【図面の簡単な説明】
【００１４】
【図１】本考案の実施の一形態に係るデータ記録ディスク関連表示シートの一部の拡大断面図である。
【図２】レンチキュラー画像の作成原理を示す説明図である。
【図３】レンチキュラーレンズとレンチキュラー画像の組み合わせと観察者の視線との関係を原理的に示す説明図である。
【図４】本考案のデータ記録ディスク関連表示シートの具体的な使用態様を示す斜視図である。
【図５】本考案のデータ記録ディスク関連表示シートの他の具体的な使用態様を示す斜視図である。
【考案を実施するための形態】
【００１５】
以下、添付図面を参照して、本考案の実施の一形態について説明する。
【００１６】
図１に示すように、本考案の実施の一形態に係るデータ記録ディスク関連表示シート１
は、表面にレンチキュラーレンズ２が形成されているレンチキュラーシート３と、このレ
ンチキュラーシート３の裏面に形成されるレンチキュラー画像５と、から成る。
【００１７】
前記レンチキュラーシート３は、塩化ビニル、ポリプロピレン、ポリエチレンテレフタ
レート等のプラスチックで成形される透明な肉薄のシートである。限定はされないが、前
記レンチキュラーシート３の厚さは、例えば、０．３〜１．３ｍｍ程度である。前記レン
チキュラーシートの表面には、レンチキュラーレンズ２が多数形成されている。各レンチ
キュラーレンズ２は、断面形状が微細な蒲鉾型の凸レンズであり、図１の紙面に対して直
角な方向に互いに平行に延びている。レンチキュラーレンズ２は、隣接するもの同士の間
に間隔をあけることなく、例えば０．２５〜０．４ｍｍ程度のピッチで形成される。一般
に、画像を近くで見るものほどピッチの小さなレンチキュラーレンズが使用され、画像に
３Ｄ効果を強く出したい場合には、肉厚のレンチキュラーレンズが使用される。
【００１８】
前記レンチキュラーシート３の裏面は平坦面であり、この平坦面上にレンチキュラー画
像５を印刷又は貼り付け等の方法で設ける。印刷の場合には、インクジェット印刷やオフ
セット印刷により行うことができる。
【００１９】
レンチキュラー画像５は、複数の画像の組み合わせによって構成される。全く異なる複
数の画像を組み合わせたり、少しずつ異なる画像を多数組み合わせたり、あるいは、右目
用と左目用の、視差が生じる二枚の画像を組み合わせたりすることで、レンチキュラー画
像を作成する。
【００２０】
一例として、視差のある右目用の画像５Ｒと左目用の画像５Ｌとを組み合わせてレンチ
キュラー画像を作成する場合には、このレンチキュラー画像は、図２に示すように、観察
者の右目用の画像５Ｒと左目用の画像５Ｌをそれぞれ細長く短冊状に切り、切った画像を
インターレース状に順番に並べて一枚の画像５としたものに相当する。どのような画像を
用いるかは自由であり、画像にはタイトルやメッセージ等の文字が含まれていてもよい。
【００２１】
図３に示すように、前記レンチキュラーレンズ２を通してレンチキュラー画像５を見る
ことで、次のような多様な視覚的効果が得られる。
【００２２】
（１）３Ｄ（レイヤーデプス）と呼ばれる効果であり、絵柄に奥行きが感じられたり、手
前に飛び出しているように見えたりする立体的効果である。
【００２３】
（２）チェンジングと呼ばれる効果であり、２〜３種類の異なる絵柄が、見る角度により
一瞬で切り替わる効果である。
【００２４】
（３）アニメーションと呼ばれる効果であり、アニメーション動画のように、絵柄がなめ
らかに変化してゆく動画効果である。
【００２５】
（４）モーフィングと呼ばれる効果であり、異なる二つの絵柄が、見る角度によりなめら
かに差し替わってゆく効果である。
【００２６】
（５）ズームと呼ばれる効果であり、絵柄の一部分がズームアップされる効果である。
【００２７】
なお、視覚的効果の具体的な内容は、どのような内容の画像を組み合わせてレンチキュ
ラー画像を作成するかによって決まる。例えば、異なる複数の画像を組み合わせることで
チェンジング効果が得られ、少しずつ異なる画像を多数組み合わせることでアニメーショ
ン効果が得られ、右目用と左目用の、視差が生じる二枚の画像を組み合わせたりすること
で３Ｄ効果が得られる。
【００２８】
前記データ記録ディスク関連表示シート１の具体的な使用態様として、次のような例を
挙げることができる。
【００２９】
図４に示すように、ＣＤやＤＶＤ等のデータ記録ディスク６を収納するための透明なデ
ィスクケース７の内側に装着されるディスクケース用ジャケット１００であって、少なく
とも一部に前記データ記録ディスク関連表示シート１を含んでいるディスクケース用ジャ
ケット１００とする。この実施の形態は、前記データ記録ディスク関連表示シート１をデ
ィスクケース７の装飾用として用いるものである。この場合、ディスクケース用ジャケッ
ト１００の表面積に占める前記データ記録ディスク関連表示シート１の割合を大きくすれ
ばするほど、ディスクケース用ジャケット１００の視覚上の印象が強くなり、見栄えの良
い外観となる。ジャケット１００の全体を前記データ記録ディスク関連表示シート１で構
成すると、ジャケット１００の全体について印象が強く見栄えが良くなって好適であるが
、それには限定されず、ジャケット１００の一部を前記データ記録ディスク関連表示シー
ト１で構成することもできる。
【００３０】
前記ディスクケース７は、ディスク６を収納するケース本体８と、このケース本体８に
回動自在に設けられる蓋部材９と、によって構成される。前記ケース本体８にはディスク
保持部４が形成されている。ディスクケース用ジャケット１００は、前記蓋部材９の内面
に適合する四角形状に形成され、蓋部材９の内面に沿うように挿入される。そして、蓋部
材９に予め形成される係止爪１０によって、前記ディスクケース用ジャケット１０の脱落
が防止される。また、蓋部材９の内面に形成される位置決め片１１によって、ディスクケ
ース用ジャケット１００の抜き差し方向への位置ずれが規制される。
【００３１】
なお、ディスクケースの他の態様として、表側だけでなく裏側にもジャケットを装着す
るものがあるが、この場合には、表側ジャケットと裏側ジャケットの双方を前記データ記
録ディスク関連表示シート１で構成することもできる。
【００３２】
他の使用形態として、図５に示すように、データ記録ディスクのケース７を収納するた
めのケース収納箱１１０であって、少なくとも一部に前記データ記録ディスク関連表示シ
ート１を含んでいるケース収納箱とすることもできる。この場合も、ケース収納箱１１０
の全体を前記データ記録ディスク関連表示シート１で作成してもよいし、ケース収納箱１
１０の一部を前記データ記録ディスク関連表示シート１で作成してもよい。ケース収納箱
１１０の表面積に占める前記データ記録ディスク関連表示シート１の割合を大きくするこ
とで、ケース収納箱の視覚上の印象が強くなり、見栄えの良い外観となる。
【００３３】
前記ケース収納箱１１０は、ディスクケース７の抜き差し口１２を備え、この抜き差し
口１２以外の面が閉じている。ディスクケース７の収納可能個数は一つでも複数でもよく
、収納個数に応じた収納空間を有するようにケース収納箱１１０のサイズを決めればよい
。
【００３４】
他の使用態様として、図４に示すように、レーベル面１３の少なくとも一部に前記デー
タ記録ディスク関連表示シート１を含んでいるデータ記録ディスク６とすることもできる
。このようにすれば、データ記録ディスク自体の視覚上の印象が強くなり、見栄えの良い
外観となる。
【符号の説明】
【００３５】
１    データ記録ディスク関連表示シート
２    レンチキュラーレンズ
３    レンチキュラーシート
５    レンチキュラー画像
６    データ記録ディスク
７    ディスクケース
１００  ディスクケース用ジャケット
１１０  ケース収納箱
【図１】
0003194476.tif 000003
【図２】
0003194476.tif 000004
【図３】
0003194476.tif 000005
【図４】
0003194476.tif 000006
【図５】
0003194476.tif 000007
【手続補正書】
【提出日】平成26年9月8日(2014.9.8)
【手続補正１】
【補正対象書類名】実用新案登録請求の範囲
【補正対象項目名】全文
【補正方法】変更
【補正の内容】
【実用新案登録請求の範囲】
【請求項１】
表面にレンチキュラーレンズが形成されているレンチキュラーシートの裏面に、複数の画像を組み合わせてなるレンチキュラー画像を有する、データ記録ディスク関連表示シート。
【請求項２】
データ記録ディスクを収納するための透明なディスクケースの内側に装着されるディスクケース用ジャケットであって、少なくとも一部に請求項１に記載のデータ記録ディスク関連表示シートを含んでおり、該データ記録ディスク関連表示シートは、前記ディスクケース用ジャケットの表面上において、前記レンチキュラーシートの表面が外部から見える位置に配置されている、ディスクケース用ジャケット。
【請求項３】
データ記録ディスクのケースを収納するためのケース収納箱であって、少なくとも一部に請求項１に記載のデータ記録ディスク関連表示シートを含んでおり、該データ記録ディスク関連表示シートは、前記ケース収納箱の表面上において、前記レンチキュラーシートの表面が外部から見える位置に配置されている、ケース収納箱。
【請求項４】
レーベル面を有するデータ記録ディスクであって、前記レーベル面の少なくとも一部に請求項１に記載のデータ記録ディスク関連表示シートを含んでおり、該データ記録ディスク関連表示シートは、前記レーベル面上において、前記レンチキュラーシートの表面が外部から見える位置に配置されている、データ記録ディスク。
【手続補正２】
【補正対象書類名】明細書
【補正対象項目名】００１１
【補正方法】変更
【補正の内容】
【００１１】
第一に、データ記録ディスクを収納するための透明なディスクケースの内側に装着されるディスクケース用ジャケットであって、少なくとも一部に前記データ記録ディスク関連表示シートを含んでおり、該データ記録ディスク関連表示シートは、前記ディスクケース用ジャケットの表面上において、前記レンチキュラーシートの表面が外部から見える位置に配置されているディスクケース用ジャケットである（請求項２）。この実施の形態は、前記データ記録ディスク関連表示シートをディスクケースの装飾用として用いるものである。この場合、ディスクケース用ジャケットの表面積に占める前記データ記録ディスク関連表示シートの割合を大きくすればするほど、ディスクケース用ジャケットの視覚上の印象が強くなり、見栄えの良い外観となる。
【手続補正３】
【補正対象書類名】明細書
【補正対象項目名】００１２
【補正方法】変更
【補正の内容】
【００１２】
第二に、データ記録ディスクのケースを収納するためのケース収納箱であって、少なくとも一部に前記データ記録ディスク関連表示シートを含んでおり、該データ記録ディスク関連表示シートは、前記ケース収納箱の表面上において、前記レンチキュラーシートの表面が外部から見える位置に配置されているケース収納箱である（請求項３）。この場合にも、ケース収納箱の表面積に占める前記データ記録ディスク関連表示シートの割合を大きくすればするほど、ケース収納箱の視覚上の印象が強くなり、見栄えの良い外観となる。
【手続補正４】
【補正対象書類名】明細書
【補正対象項目名】００１３
【補正方法】変更
【補正の内容】
【００１３】
第三に、レーベル面を有するデータ記録ディスクであって、前記レーベル面の少なくとも一部に請求項１に記載のデータ記録ディスク関連表示シートを含んでおり、該データ記録ディスク関連表示シートは、前記レーベル面上において、前記レンチキュラーシートの表面が外部から見える位置に配置されているデータ記録ディスクである（請求項４）。このようにすれば、データ記録ディスク自体の視覚上の印象が強くなり、見栄えの良い外観となる。
【手続補正５】
【補正対象書類名】明細書
【補正対象項目名】００２９
【補正方法】変更
【補正の内容】
【００２９】
図４に示すように、ＣＤやＤＶＤ等のデータ記録ディスク６を収納するための透明なディスクケース７の内側に装着されるディスクケース用ジャケット１００であって、少なくとも一部に前記データ記録ディスク関連表示シート１を含んでいるディスクケース用ジャケット１００とする。この実施の形態は、前記データ記録ディスク関連表示シート１をディスクケース７の装飾用として用いるものであり、前記データ記録ディスク関連表示シート１は、前記ディスクケース用ジャケット１００の表面上において、前記レンチキュラーシート３の表面が外部から見える位置に配置される。この場合、ディスクケース用ジャケット１００の表面積に占める前記データ記録ディスク関連表示シート１の割合を大きくすればするほど、ディスクケース用ジャケット１００の視覚上の印象が強くなり、見栄えの良い外観となる。ジャケット１００の全体を前記データ記録ディスク関連表示シート１で構成すると、ジャケット１００の全体について印象が強く見栄えが良くなって好適であるが、それには限定されず、ジャケット１００の一部を前記データ記録ディスク関連表示シート１で構成することもできる。
【手続補正６】
【補正対象書類名】明細書
【補正対象項目名】００３２
【補正方法】変更
【補正の内容】
【００３２】
他の使用形態として、図５に示すように、データ記録ディスクのケース７を収納するためのケース収納箱１１０であって、少なくとも一部に前記データ記録ディスク関連表示シート１を含んでいるケース収納箱とすることもできる。この使用形態では、前記データ記録ディスク関連表示シート１は、前記ケース収納箱１１０の表面上において、前記レンチキュラーシート３の表面が外部から見える位置に配置される。この場合も、ケース収納箱１１０の全体を前記データ記録ディスク関連表示シート１で作成してもよいし、ケース収納箱１１０の一部を前記データ記録ディスク関連表示シート１で作成してもよい。ケース収納箱１１０の表面積に占める前記データ記録ディスク関連表示シート１の割合を大きくすることで、ケース収納箱の視覚上の印象が強くなり、見栄えの良い外観となる。
【手続補正７】
【補正対象書類名】明細書
【補正対象項目名】００３４
【補正方法】変更
【補正の内容】
【００３４】
他の使用態様として、図４に示すように、レーベル面１３を有するデータ記録ディスク６であって、前記レーベル面１３の少なくとも一部に前記データ記録ディスク関連表示シート１を含んでいるデータ記録ディスク６とすることもできる。この場合、前記データ記録ディスク関連表示シート１は、前記レーベル面１３上において、前記レンチキュラーシート３の表面が外部から見える位置に配置される。このようにすれば、データ記録ディスク自体の視覚上の印象が強くなり、見栄えの良い外観となる。